(57)【要約】【課題】釣糸が巻かれた複数のスプールを一体に収納でき、所望のスプールに巻かれた釣糸のみを簡便に引き出すことが可能であるとともに、構成を簡略化できるスプール連結具及びスプール連結体を提供する。【解決手段】図示のスプール連結体は、軸穴１８が設けられたスプール３００，３００が、コネクタ８０により連結されたものである。コネクタ８０は、各スプール３００の軸穴１８に嵌着された略筒状の第１部材８１及び第２部材８２が、それぞれの端部で回動可能に掛合されている。【選択図】  図８
2004321078.tif 000002
【特許請求の範囲】
【請求項１】
巻軸が挿通される軸穴が設けられた複数の釣糸用スプールを連結する連結具であって、
略筒状又は略棒状を成し、長軸が前記複数の軸穴を貫通する方向に沿うように設置され、一方端部が前記複数の釣糸用スプールのうち第１のスプールに設けられた第１の軸穴に着脱可能に嵌着され、他方端部が該第１のスプールと異なる第２のスプールに設けられた第２の軸穴に遊挿又は緩挿され、該他方端部に該第２の軸穴の外方周縁部と当接する係止部が設けられた、スプール連結具。
【請求項２】
巻軸が挿通される軸穴が設けられた複数の釣糸用スプールを連結する連結具であって、
略筒状又は略棒状を成し、長軸が前記複数の軸穴を貫通する方向に沿うように設置され、一方端部が前記複数の釣糸用スプールのうち第１のスプールに設けられた第１の軸穴に遊挿又は緩挿され、他方端部が該第１のスプールと異なる第２のスプールに設けられた第２の軸穴に遊挿又は緩挿され、該一方端部及び該他方端部にそれぞれ該第１及び第２の軸穴の外方縁周部と当接する係止部が設けられた、スプール連結具。
【請求項３】
巻軸が挿通される軸穴が設けられた複数の釣糸用スプールを連結する連結具であって、
略筒状又は略棒状を成し、長軸が前記複数の軸穴を貫通する方向に沿うように設置され、一方端部が前記複数のスプールのうち第１のスプールに設けられた第１の軸穴に該第１の軸穴を形成する部位と摺動可能に嵌挿され、他方端部が該第１のスプールと異なる第２のスプールに設けられた第２の軸穴に該第２の軸穴を形成する部位と摺動可能に嵌挿される、スプール連結具。
【請求項４】
巻軸が挿通される軸穴が設けられた複数の釣糸用スプールを連結する連結具であって、
略筒状又は略棒状を成し、長軸が前記複数の軸穴を貫通する方向に沿うように設置され、
前記複数の釣糸用スプールのうち第１のスプールに設けられた第１の軸穴に着脱可能に嵌着され且つ突出部を有する第１部材と、
前記第１のスプールと異なる第２のスプールに設けられた第２の軸穴に着脱可能に嵌着され、前記突出部が係合又は掛合し且つ該第２の軸穴の周方向に沿って環状に形成された止定部を有する第２部材とを備える、スプール連結具。
【請求項５】
巻軸が挿通される軸穴が設けられた複数の釣糸用スプールを連結する連結具であって、
略筒状を成し前記各釣糸用スプールの軸穴に着脱可能に嵌着される基部と、
略筒状又は略棒状を成し、一方端が前記基部に結合されており、他方端が該基部の内周端に係合又は掛合するように形成された係止部と、
を備える、スプール連結具。
【請求項６】
巻軸が挿通される軸穴が設けられた複数の釣糸用スプールを連結する連結具であって、
略筒状又は略棒状を成し、長軸が前記複数の軸穴を貫通する方向に沿うように設置され、一方端部が前記複数のスプールのうち第１のスプールに設けられた第１の軸穴に着脱可能に嵌着され、他方端部が周縁に転がり軸受を有し、且つ該第１のスプールと異なる第２のスプールに設けられた第２の軸穴を形成する部位と該転がり軸受とが当接する、スプール連結具。
【請求項７】
巻軸が挿通される軸穴が設けられた複数の釣糸用スプールを連結する連結具であって、
略筒状又は略棒状を成し、長軸が前記複数の軸穴を貫通する方向に沿うように設置され、前記各釣糸用スプールの軸穴を形成する部位が嵌着される環状溝が側壁に複数設けられた、スプール連結具。
【請求項８】
巻軸が挿通される軸穴が設けられた複数の釣糸用スプールが、請求項１〜７のいずれか一項に記載のスプール連結具で連結されて成るスプール連結体。
【請求項９】
前記スプール連結具の少なくとも一方端が結合された把持部を更に備える請求項８記載のスプール連結体。
【発明の詳細な説明】
【０００１】
【発明の属する技術分野】
本発明は、スプール連結具及びスプール連結体に関し、特に、巻き軸が挿通される軸穴が設けられた複数の釣糸用スプールを連結するスプール連結具、及び、そのスプール連結具を用いて複数のスプールが連結されたスプール連結体に関する。
【０００２】
【従来の技術】
海、河川、湖沼等の釣り場では、釣果を高めるため、その時々の状況に応じて種々の釣糸を適宜使用することが多い。そのため、号数、柄、材質等が異なる複数の釣糸を携帯する必要がある。また、船上、磯、渓流等の釣り場において、それらの種々の釣糸を迅速に選択して付け替える作業が要求されることも多い。
【０００３】
一般に、釣糸は、その種類毎に釣糸用スプール等の糸巻きに巻回された状態で市場に提供され、通常、予備の釣糸としてその状態で保管・携帯される傾向にある。また、個々のスプールがケース内に収納された状態で入手できるものもあり、そのケース内でスプールが回動し、これにより釣糸を円滑に引き出すことが可能なものもある。ただし、釣り場の状況に合わせた所望の種類の釣糸が巻かれたスプールを選択し、交換作業の都度、収納バッグ等から取り出して釣糸を引き出すのは、作業性を向上させる観点から好ましくない。そこで、このような不都合を解消すべく、複数のスプール本体を連結可能にしたもの、或いは複数のスプールを連結するための部材をスプールに着脱自在に設けたもの等が従来から提案されている（例えば、特許文献１〜４参照）。
【特許文献１】
実開昭６３−１５１７６６号公報
【特許文献２】
実開昭６３−６８７７６号公報
【特許文献３】
実開平２−５２５７２号公報
【特許文献４】
特開２０００−３２８９４号公報
【０００４】
【発明が解決しようとする課題】
しかし、上述したような複数のスプールを単に連結した構成では、必要な釣糸が巻かれたスプールのみを回動させてその釣糸を引き出すことが困難であった。また、連結されたものから、その都度必要なスプールを取り外して釣糸を引き出すのでは、作業が非常に煩雑となってしまい、さらに、スプールを落下させるおそれもある。またさらに、スプール自体を連結可能に構成した場合、その構造が複雑になり易く、そのようなスプールを複数連結したものがかさばるといった問題もあった。
【０００５】
そこで、本発明は、このような事情に鑑みてなされたものであり、同種又は異種の釣糸が巻かれた複数のスプールを一体に収納でき、所望のスプールに巻かれた釣糸のみを簡便に引き出すことが可能であるとともに、複数のスプールが連結された構成を簡略化できるスプール連結具及びスプール連結体を提供することを目的とする。
【０００６】
【課題を解決するための手段】
上記課題を解決するために、本発明によるスプール連結具は、巻軸が挿通される軸穴が設けられた複数の釣糸用スプールを連結する連結具であって、略筒状又は略棒状を成し、長軸が複数の軸穴を貫通する方向に沿うように設置され、一方端部が複数の釣糸用スプールのうち第１のスプールに設けられた第１の軸穴に着脱可能に嵌着され、他方端部が第１のスプールと異なる第２のスプールに設けられた第２の軸穴に遊挿又は緩挿され、他方端部に第２の軸穴の外方周縁部と当接する係止部が設けられたものである。
【０００７】
このように構成されたスプール連結具においては、その一方端部が第１のスプールの第１の軸穴に嵌着されてスプール連結具と第１のスプールとが着脱可能に固定される。また、スプール連結具の他方端部が第２のスプールの第２の軸穴に遊挿又は緩挿されると、第２のスプールは、略筒状又は略棒状を成すスプール連結具の軸回りに回動可能な状態とされる。そして、スプール連結具の係止部が第２の軸穴の外方周縁部と当接することにより、第２のスプールがスプール連結具の他方端側へ移動することが制限され、第１及び第２のスプールが連結状態で保持される。これにより、第１のスプールと第２のスプールとが相対的に言わば独立してスプール連結具の軸回りに回動可能となる。なお、「外方周縁部」とは、第２の軸穴においてスプール連結具が遊挿又は緩挿されるときにその他方端部が突出する側の周縁部（周縁面又は周端を含む。）をいう（以下、第１の軸穴に対しても同様とする）。
【０００８】
より具体的には、スプール連結具の一方端部が、第１の軸穴に嵌着される程度に第１の軸穴の径又は断面形状と略同等の外径又は断面形状を有しており、且つ、第２の軸穴の断面形状が円形のときに、スプール連結具の他方端部が第２の軸穴の径よりも小さい外径を有する。
【０００９】
また、スプール連結具の他方端部の外周面が第２の軸穴を形成する部位と摺動するように形成されると好ましい。こうすれば、第２のスプールの自由な回動が適度に制限されるので、第１及び第２のスプールが不都合な程に過度に回動することが抑制され、釣糸の引き出し量（長）をコントロールし易くなる。
【００１０】
または、本発明によるスプール連結具は、巻軸が挿通される軸穴が設けられた複数の釣糸用スプールを連結する連結具であって、略筒状又は略棒状を成し、長軸が複数の軸穴を貫通する方向に沿うように設置され、一方端部が複数の釣糸用スプールのうち第１のスプールに設けられた第１の軸穴に遊挿又は緩挿され、他方端部が第１のスプールと異なる第２のスプールに設けられた第２の軸穴に遊挿又は緩挿され、一方端部及び他方端部にそれぞれ第１及び第２の軸穴の外方縁周部と当接する係止部が設けられたものである。
【００１１】
このように構成されたスプール連結具においては、その一方端部及び他方端部がそれぞれ第１及び第２の軸穴に遊挿又は緩挿されることにより、第１及び第２のスプールの何れもがスプール連結具の軸回りに回動可能な状態とされる。そして、一方端部及び他方端部の各々に形成された係止部が、それぞれ第１及び第２の軸穴の外方周縁部と当接することにより、第１及び第２のスプールがスプール連結具の端側へ移動することが制限され、両者が連結状態で保持される。
【００１２】
より具体的には、第１及び第２の軸穴の断面形状が円形のときに、スプール連結具の一方端部及び他方端部がそれぞれ第１及び第２の軸穴の径よりも小さい外径を有する。また、スプール連結具の外周面が第１及び第２の軸穴を構成する部位と摺動するように形成されると、第１及び第２のスプールの自由な回動が適度に制限されるので、両者が不都合な程に過度に回動することが制限され、釣糸の引き出し量（長）をコントロールし易くなる。
【００１３】
或いは、本発明によるスプール連結具は、巻軸が挿通される軸穴が設けられた複数の釣糸用スプールを連結する連結具であって、略筒状又は略棒状を成し、長軸が複数の軸穴を貫通する方向に沿うように設置され、一方端部が複数のスプールのうち第１のスプールに設けられた第１の軸穴に第１の軸穴を形成する部位と摺動可能に嵌挿され、他方端部が第１のスプールと異なる第２のスプールに設けられた第２の軸穴に第２の軸穴を形成する部位と摺動可能に嵌挿されるものである。
【００１４】
すなわち、このような構成のスプール連結具においては、一方端部が第１のスプールの第１の軸穴を構成する部位に嵌め込まれるように挿入又は挿通されるので、一方端部において第１のスプールが保持される。また、同様にして、他方端部において第２のスプールが保持される。そして、この状態で、一方端部及び他方端部がそれぞれ第１及び第２の軸穴を形成する部位と摺動することにより、第１及び第２のスプールが、スプール連結具の軸回りに独立して回動可能とされる。
【００１５】
より具体的には、例えば、第１及び第２の軸穴を形成する部位が環状凹部を成しており、且つ、スプール連結具の一方端部及び他方端部が、当該環状凹部の内面形状に応じた外面形状を有する環状凸部を成すと好ましい。こうすれば、環状凹部と環状凸部との面の一部が接触した状態で摺動するので、第１及び第２の回動状態が適度に調整される。
【００１６】
或いは、本発明によるスプール連結具は、巻軸が挿通される軸穴が設けられた複数の釣糸用スプールを連結する連結具であって、略筒状又は略棒状を成し、長軸が複数の軸穴を貫通する方向に沿うように設置され、複数の釣糸用スプールのうち第１のスプールに設けられた第１の軸穴に着脱可能に嵌着され且つ突出部を有する第１部材と、第１のスプールと異なる第２のスプールに設けられた第２の軸穴に着脱可能に嵌着され、突出部が係合又は掛合し且つ第２の軸穴の周方向に沿って環状に形成された止定部を有する第２部材とを備えるものである。
【００１７】
このように構成されたスプール連結具においては、第１の軸穴に第１部材が嵌着されて第１のスプールと第１部材とが着脱可能に固定される。同様に、第２の軸穴に第２部材が嵌着されて第２のスプールと第２部材とが着脱可能に固定される。そして、第１部材の突出部が第２部材の止定部に係合又は掛合されると、第１及び第２のスプールが連結状態で保持される。このとき、止定部が第２の軸穴の周方向に沿って環状に形成されているので、突出部はその周方向つまりスプール連結具の軸周りに回動可能な状態で止定部に係合又は掛合する。よって、第１部材に固定された第１のスプールと第２部材に固定された第２のスプールとが独立して回動可能にされる。
【００１８】
或いは、本発明によるスプール連結具は、巻軸が挿通される軸穴が設けられた複数の釣糸用スプールを連結する連結具であって、略筒状を成し各釣糸用スプールの軸穴に着脱可能に嵌着される基部と、略筒状又は略棒状を成し、一方端が前記基部に結合されており、他方端が基部の内周端に係合又は掛合するように形成された係止部とを備えるものである。
【００１９】
このように構成を有するスプール連結具においては、釣糸用スプールの軸穴に基部が嵌着されてスプール連結具と釣糸用スプールとが着脱可能に固定される。その基部には係止部の一方端が結合されており、つまり基部から係止部が突出するように設けられている。そして、一の釣糸用スプールに固定されたスプール連結具の係止部の他方端が、他の釣糸用スプールに固定されたスプール連結具の基部の内周端に係合又は掛合することにより、複数の釣糸用スプールが連結された状態で保持される。このとき、基部の内周端が上述した構成の止定部と同様に機能するので、係止部は基部の内周に沿ってつまりスプール連結具の軸周りに回動可能な状態となり、一の釣糸用スプールと他の釣糸用スプールとが独立して回動可能にされる。
【００２０】
または、本発明によるスプール連結具は、巻軸が挿通される軸穴が設けられた複数の釣糸用スプールを連結する連結具であって、略筒状又は略棒状を成し、長軸が複数の軸穴を貫通する方向に沿うように設置され、一方端部が複数のスプールのうち第１のスプールに設けられた第１の軸穴に着脱可能に嵌着され、他方端部が周縁に転がり軸受を有し且つ該第１のスプールと異なる第２のスプールに設けられた第２の軸穴を形成する部位と転がり軸受とが当接するものである。
【００２１】
このような構成のスプール連結具においては、一方端部が第１の軸穴に嵌着されてスプール連結具と第１のスプールとが着脱可能に固定される。また、スプール連結具の他方端部に設けられた転がり軸受が第２のスプールの第２の軸穴を形成する部位と当接することにより、スプール連結具と第２のスプールとが摺動可能に固定される。これにより、第１及び第２のスプールが独立して回動可能に且つ連結状態で保持される。
【００２２】
または、本発明によるスプール連結具は、巻軸が挿通される軸穴が設けられた複数の釣糸用スプールを連結する連結具であって、略筒状又は略棒状を成し、長軸が複数の軸穴を貫通する方向に沿うように設置され、各釣糸用スプールの軸穴を形成する部位が摺動可能に嵌着される環状溝が側壁に複数設けられたものである。
【００２３】
このように構成されたスプール連結具の側壁に設けられた環状溝に各釣糸用スプールの軸穴を形成する部位が摺動可能に嵌着されると、各釣糸用スプールは、スプール連結具の長軸方向への動きが制限されると共に、その周方向（軸回り）に回動可能に連結状態で保持される。
【００２４】
また、本発明によるスプール連結体は、巻軸が挿通される軸穴が設けられた複数の釣糸用スプールが、本発明のスプール連結具で連結されて成る構造体である。さらに、スプール連結具の少なくとも一方端が結合された把持部を更に備えると、独立に回動可能に保持された複数の釣糸用スプールを、把持部を介して釣人の着衣や持ち物に簡易に取り付けることができるので好適である。
【００２５】
【発明の実施の形態】
以下、添付図を参照して本発明の実施形態について説明する。なお、同一の要素には同一の符号を付し、重複する説明を省略する。また、上下左右等の位置関係については、特に規定しない限り、図面の上下左右等の位置関係に基づくものとする。
【００２６】
図１は、本発明によるスプール連結具及びそれを用いたスプール連結体の第１実施形態を示す概略断面図である。本形態のスプール連結体は、釣糸１が巻回された二つの同種のスプール１００，１００（釣糸用スプール、第１のスプール、第２のスプール）がコネクタ２０（スプール連結具）で連結されたものである。スプール１００としては、図６に示すものを例示できる。
【００２７】
図６は、スプール１００を示す斜視図である。スプール１００は、筒状を成す胴部１１の両端部にそれぞれ鍔状の前面側フランジ１２及び中空円盤状（所定の幅を有するリング状）の後面側フランジ１３が結合されたものであり、胴部１１の外周面１１ａに釣糸１が巻回される。また、前面側フランジ１２と胴部１１とで、胴部１１の内周部に凹部１６が形成されている。この前面側フランジ１２の外表面１２ａ、すなわち胴部１１と連結している面の反対面には、文字や図柄が表されたラベルを貼付できるようになっている。
【００２８】
また、胴部１１の内周部つまり凹部１６には、胴部１１と同軸状に環状凸部１０が設けられている。この環状凸部１０の一方端は、前面側フランジ１２の裏面１２ｂに結合されており、環状凸部１０及び前面側フランジ１２によって、胴部１１の外周面１１ａに釣糸１を巻回する際に所定の巻軸が挿通される軸穴１８が形成されている。さらに、この環状凸部１０の外周面、胴部１１の内周面１１ｂ及び前面側フランジ１２の裏面１２ｂに結合された複数のリブ１４が、凹部１６に収容されるように放射状に配設され、胴部１１の機械的強度が高められている。
【００２９】
コネクタ２０は、略棒状を成しており、その長軸方向に沿った断面形状が互いに異なる一方端部２１及び他方端部２２が一体に形成されたものである。図１において、コネクタ２０は、その長軸が複数の軸穴１８を貫通する方向に沿うように設置されており、一方端部２１がスプール１００（第１のスプール）の前面側フランジ１２側からその軸穴１８（第１の軸穴）に嵌入されている。一方端部２１の径はその軸穴１８の内径と略同等とされており、環状凸部１０（軸穴を形成する部材）の内周面１０ａと一方端部２１の外周面２１ａが確実に当接し、一方端部２１が軸穴１８の全軸長に渡って嵌着され、これにより両者が着脱可能に固定されている。
【００３０】
また、環状溝形状の他方端部２２は、その径が軸穴１８の内径よりも有意に小さくされており、隣接する別のスプール１００（第２のスプール）の軸穴１８（第２の軸穴）に遊挿又は緩挿されている。これにより、他方端部２２の外周面２２ａと環状凸部１０の内周面１０ａとの間に若干の隙間が生じ、両面が当接していても固定されない状態となる。さらに、その他方端部２２の先端すなわちスプール１００の前面側フランジ１２から突き出した部位には、径が軸穴１８よりも大きくされた係止部２３が設けられている。係止部２３は、その鍔部分が前面側フランジ１２の外表面１２ａにおける軸穴１８の周縁面と当接するようにされている。
【００３１】
このように構成されたコネクタ２０及びスプール連結体によれば、一方端部２１が一方のスプール１００の軸穴１８に嵌着・固定されると共に、他方端部２２の先端にある係止部２３が他方のスプール１００の先端側への動きを制限し、且つ、他方端部２２が環状溝形状を成すので一方のスプール１００側への動きも制限される。これらにより、両スプール１００，１００が連結状態で保持される。また、他方のスプール１００は、他方端部２２が遊挿又は緩挿されているので、コネクタ２０の軸回りに回動可能とされる。
【００３２】
よって、コネクタ２０に固定された一方のスプール１００と他方のスプール１００とが独立に回動できるので、複数のスプールを単に連結した従来構成とは異なり、必要な釣糸１が巻かれたスプール１００のみを回動させてそこから釣糸１を引き出すことが簡易となる。また、連結されたものから、必要なスプール１００を取り外して釣糸１を引き出す必要がなく、作業が簡略化され手間が省ける。さらに、簡略化された形状のコネクタ２０がスプール１００を複数の軸穴１８を連通するように設けるので、スプール連結体の構造が複雑になることを防止でき、ひいては収納スペース又は保管スペースを狭小化できる。
【００３３】
また、コネクタ２０の他方端部２２の外周面２２ａが軸穴１８を形成する環状凸部１０の内周面１０ａと摺動するように両者の間隙を調整すれば、他方端部２２側に位置するスプール１００の自由な回動が適度に制限される。よって、両スプール１００，１００が不都合な程に過度に回動することが抑制され、釣糸１が必要以上に引き出されてしまうことを防止し易くなる。
【００３４】
図２は、本発明によるスプール連結具及びそれを用いたスプール連結体の第２実施形態を示す概略断面図である。本形態のスプール連結体は、コネクタ２０の代わりにコネクタ３０（スプール連結具）が用いられていること以外は、図１に示すスプール連結体と同等に構成されている。コネクタ３０の構造はコネクタ２０と同等であり、図１に示すスプール連結体におけるのと対称に設置されている。
【００３５】
すなわち、図２において、コネクタ３０は、その長軸が複数の軸穴１８を貫通する方向に沿うように設置されており、一方端部３１がスプール１００の後面側フランジ１３側からその軸穴１８に嵌入され、環状凸部１０の内周面１０ａと一方端部３１の外周面３１ａが確実に当接し、両者が着脱可能に固定されている。
【００３６】
また、環状溝形状の他方端部３２は、隣接する別のスプール１００の軸穴１８に遊挿又は緩挿されており、これにより、他方端部３２の外周面３２ａと環状凸部１０の内周面１０ａとの間に若干の隙間が生じ、両面が当接していても固定されない状態となる。また、他方端部３２の先端すなわちスプール１００の後面側フランジ１３から突き出した部位に設けられた係止部２３は、その鍔部分が環状凸部１０の端縁（面）と当接するようにされている。
【００３７】
このように構成されたコネクタ３０及びスプール連結体においても、一方端部３１に一方のコネクタ３０が嵌着・固定されると共に、他方端部３２側に位置するスプール１００がコネクタ３０の軸回りに自由に回動できるので、図１に示すスプール連結体と同様の作用効果を奏する。なお、その詳細は重複説明を避けるため省略する。さらに、係止部３３がスプール１００の凹部１６内に位置するので、係止部３３がスプール１００の外方に飛び出して他の物に引っ掛ることによりコネクタ３０の一方端部３１がスプール１００から不用意に外れてしまうことを抑止できる。
【００３８】
図３は、本発明によるスプール連結具及びそれを用いたスプール連結体の第３実施形態を示す概略断面図である。本形態のスプール連結体は、コネクタ２０の代わりにコネクタ４０（スプール連結具）が用いられていること以外は、図１に示すスプール連結体と同等に構成されている。
【００３９】
コネクタ４０は、略棒状を成しており、その長軸方向に沿った断面形状が互いに異なり且つ共に径が軸穴１８よりも有意に小さくされた一方端部４１及び他方端部４２を備えて成るものである。図３において、コネクタ４０は、その長軸が複数の軸穴１８を貫通する方向に沿うように設置されている。一方端部４１は、一方のスプール１００の後面側フランジ１３側からその軸穴１８に遊挿又は緩挿されている。また、他方端部４２は、他方のスプール１００の前面側フランジ１２側からその軸穴１８に遊挿又は緩挿されている。
【００４０】
また、一方端部４１及び他方端部４２のそれぞれの一方端には、図１に示す係止部２３と同等の係止部４３，４４がそれぞれ設けられている。これらにより、各スプール１００が一方端部４１の一方端側及び他方端部４２の一方端側への動きが制限される。さらに、他方端部４２の他方端には凹部が形成されており、一方端部４１の他方端には首４５を有し他方端部４２の先端凹部に嵌合又は錠合する突出部４６が形成されている。これらの両他方端の嵌合して固定されることによりコネクタ４０が一体に構成され、両スプール１００，１００が連結状態で保持される。
【００４１】
このように構成されたコネクタ４０及びスプール連結体によれば、各スプール１００の各環状凸部１０の内周面１０ａと、一方端部４１及び他方端部４２の外周面４１ａ，４２ａとの間に間隙が生じるので、両スプール１００，１００がコネクタ４０の軸回りに独立して回動可能とされる。よって、図１に示すものと同等の作用効果（詳細は省略）を奏することができる。しかも、両スプール１００，１００がコネクタ４０と連動しないので、スプール１００がコネクタ４０から一層外れ難くなる。
【００４２】
図４は、本発明によるスプール連結具及びそれを用いたスプール連結体の第４実施形態を示す概略断面図である。本形態のスプール連結体は、コネクタ２０の代わりにコネクタ５０（スプール連結具）が用いられていること以外は、図１に示すスプール連結体と同等に構成されている。図４において、コネクタ５０は、棒状の胴部５１の両端に、それぞれ図３に示す係止部４３，４４と同様に機能する係止部５２，５３が設けられたものである。また、胴部５１の径は全長に渡って軸穴１８の内径よりも有意に小さくされており、胴部５１が両スプール１００，１００の軸穴１８，１８に遊挿又は緩挿されている。
【００４３】
このように構成されたコネクタ５０及びスプール連結体によっても、各スプール１００の各環状凸部１０の内周面１０ａと、胴部５１の外周面５１ａ（側壁面）との間に間隙が生じるので、両スプール１００，１００がコネクタ５０の軸回りに独立して回動可能とされる。よって、図３に示すものと同等の作用効果（詳細は省略）を奏することができる。また、コネクタ５０が一体成形されているので部品点数を低減して、構造をより簡略化できる。
【００４４】
図５は、本発明によるスプール連結具及びそれを用いたスプール連結体の第５実施形態を示す概略断面図である。本形態のスプール連結体は、コネクタ２０の代わりにコネクタ６０（スプール連結具）が用いられていること以外は、図１に示すスプール連結体と同等に構成されている。
【００４５】
コネクタ６０は、略棒状を成しており、その長軸方向に沿った断面形状が互いに異なる第１部材６１及び第２部材６２を備えて成るものである。図５において、コネクタ６０は、その長軸が複数の軸穴１８を貫通する方向に沿うように設置されており、第１部材６１が一方のスプール１００の前面側フランジ１２側からその軸穴１８に嵌入されている。第１部材６１の径はその軸穴１８の内径と略同等とされており、環状凸部１０の内周面１０ａと第１部材６１の外周面６１ａが確実に当接し、第１部材６１が軸穴１８の全軸長に渡って嵌着され、これにより両者が着脱可能に固定されている。
【００４６】
また、第２部材６２は、他方のスプール１００の後面側フランジ１３側からその軸穴１８に嵌入されている。第２部材６２の径も軸穴１８の内径と略同等とされており、環状凸部１０の内周面１０ａと第２部材６２の外周面６２ａが確実に当接し、第２部材６２が軸穴１８の全軸長に渡って嵌着され、これにより両者が着脱可能に固定されている。
【００４７】
さらに、第１部材６１における前面側フランジ１２側の端部には、首６５を有しボトルネック形状を成す突出部６６が形成されている。また、第２部材における後面側フランジ１３側の端部には、突出部６６が掛合又は掛合し、軸穴１８の周方向つまりコネクタ６０の周方向に沿うように環状に形成された凹部（止定部）が形成されている。そして、第１部材６１の突出部６６が第２部材の凹部に係合又は掛合することにより、両スプール１００，１００が連結状態で保持される。
【００４８】
このように形成されたコネクタ６０及びスプール連結体によれば、第１部材６１の突出部６６が、第２部材６２に環状に設けられた凹部内で周方向に回動可能とされるので、第１部材６１と固定された一方のスプール１００と、第２部材６２と固定された他方のスプール１００とが、コネクタ６０の軸回りに独立して回動可能とされる。よって、図１に示すものと同等の作用効果（詳細は省略）を奏することができる。
【００４９】
図７は、本発明によるスプール連結具及びそれを用いたスプール連結体の第６実施形態を示す概略断面図である。本形態のスプール連結体は、スプール１００，１００の代わりにスプール２００，２００が連結されており、コネクタ２０の代わりにコネクタ７０（スプール連結具）が用いられていること以外は、図１に示すスプール連結体と同等に構成されている。スプール２００は、環状凸部１０の代わりに、内周面が断面弧状を成す環状凹部（又は環状の窪み）が形成された環状凸部２９が設けられ、これにより軸穴２８が形成されていること以外は、スプール１００と同様な構成を有している。
【００５０】
図７において、コネクタ７０は、棒状の胴部７０の両端部に、スプール２００の環状凸部２９の内周面２９ａと一定の微小間隔をもって対設される外周面７２ａ，７３ａを有する断面弧状を成す側壁を有する係止部７２，７３が設けられたものである。換言すれば、係止部７２，７３は両端が半球状に形成されている。係止部７２，７３がそれぞれスプール２００，２００の環状凸部２９に嵌挿されると、係止部７２，７３の外周面７２ａ，７３ａの少なくとも一部が、環状凸部２９の内周面２９ａの少なくとも一部と当接することにより、コネクタ７０の両端側へのスプール２００，２００の移動が制限され、両者が連結状態で保持される。
【００５１】
このように構成されたコネクタ７０及びスプール連結体によれば、スプール２００，２００が、コネクタ７０の両端部に位置する係止部７２，７３と摺動するように軸回りに互いに独立して回動可能とされる。よって、図１に示すものと同様の作用効果（詳細は省略）が奏される。また、コネクタ７０が、環状凸部２９の外方に突出しないので、スプール連結体の構造及び外観を簡略化できる。
【００５２】
図８は、本発明によるスプール連結具及びそれを用いたスプール連結体の第７実施形態を示す概略断面図である。本形態のスプール連結体は、スプール１００，１００の代わりにスプール３００，３００（釣糸用スプール）が用いられ、コネクタ２０の代わりにコネクタ８０（スプール連結具）が用いられていること以外は、図１に示すスプール連結体と同等に構成されている。スプール３００としては、図９に示すものを例示できる。
【００５３】
図９は、スプール３００を示す斜視図である。スプール３００は、環状凸部１０における周上の一部で且つリブ１４，１４間に、スプール３００の中心部から胴部１１へ向かって突出する凸部１９が形成されていること以外は、スプール１００と同様に構成されたものである。
【００５４】
一方、コネクタ８０は、略筒状を成しており、その長軸方向に沿った断面形状が互いに異なる第１部材８１及び第２部材８２を備えて成るものである。図８において、コネクタ８０は、その長軸が複数の軸穴１８を貫通する方向に沿うように設置されており、第１部材８１が一方のスプール３００の前面側フランジ１２側からその軸穴１８に嵌入されている。第１部材８１の外径はその軸穴１８の内径と略同等とされており、環状凸部１０の内周面１０ａと第１部材８１の外周面８１ａが確実に当接し、第１部材８１が軸穴１８の全軸長に渡って嵌着され、これにより両者が着脱可能に固定されている。
【００５５】
また、第２部材８２は、他方のスプール３００の後面側フランジ１３側からその軸穴１８に嵌入されている。第２部材８２の外径も軸穴１８の内径と略同等とされており、環状凸部１０の内周面１０ａと第２部材８２の外周面８２ａが確実に当接し、第２部材８２が軸穴１８の全軸長に渡って嵌着され、これにより両者が着脱可能に固定されている。
【００５６】
ここで、図１０（Ａ）〜（Ｃ）は、第１部材８１のそれぞれ正面図、側面図、及び底面図である。また、図１１（Ａ）〜（Ｃ）は、第２部材８２のそれぞれ正面図、側面図、及び底面図である。
【００５７】
図１０（Ａ）〜（Ｃ）において、第１部材８１は、径の異なる孔８３ｃ，８３ｄが連設されて内部に段差を有し且つ側壁８１ｂにその軸全長に渡って延在するように角出部８３ａが設けられた筒状胴部８３の一方端（孔８３ｄ側）に、突出部８５が結合されたものである。角出部８３ａは、スプール３００の凸部１９に嵌着される形状とされており、両者が干渉することにより、第１部材８１が一方のスプール３００に確実に位置決めされ、周方向への動きが制限されて固定される。
【００５８】
また、筒状胴部８３における突出部８５が接続された周縁には、第１部材８１の軸方向に沿う延在長が角出部８３ａよりも短くされた角出部８３ｂが３箇所に設けられている。角出部８３ｂが一方のスプール３００を構成する前面側フランジ１２の外表面１２ａと干渉することにより、第１部材８１の軸方向への動きが制限され、第１部材８１が一方のスプール３００に確実に位置決めされる。
【００５９】
突出部８５は、一方端が胴部８３の端面に結合された筒状部８５ａの他方端に、外方に向けて突出した先端爪を有する２本の棒状突起８５ｂ，８５ｂが結合したものである。各棒状突起８５ｂは、その先端爪が軸方向に対して一定角度を成すように傾斜した片方テーパを有しており、また、内側にやや曲折可能な程度の柔軟性を有している。
【００６０】
図１１（Ａ）〜（Ｃ）において、第２部材８２は、径の異なる孔８４ｃ，８４ｄが連設されて内部に周方向に沿って環状に形成された段差を有し且つ側壁８２ｂにその軸全長に渡って延在するように角出部８４ａが設けられた筒状胴部８４を有している。角出部８４ａは、スプール３００の凸部１９に嵌着される形状とされており、両者が干渉することにより、第２部材８２が他方のスプール３００に確実に位置決めされ、周方向への動きが制限されて固定される。
【００６１】
また、筒状胴部８４における一方端の周縁には、第２部材８２の軸方向に沿う延在長が角出部８４ａよりも短くされた角出部８４ｂが３箇所に設けられている。角出部８４ｂが他方のスプール３００を構成する環状凸部１０の端面と干渉することにより、第２部材８２の軸方向への動きが制限され、第２部材８２が他方のスプール３００に確実に位置決めされる。
【００６２】
そして、図８に示す如く、第１部材８１の棒状突起８５ｂ，８５ｂが、第２部材８２の胴部８４に形成された内部段差に係合又は掛合することにより、第１部材８１に固定された一方のスプール３００と第２部材８２に固定された他方のスプール３００とが連結状態で保持される。このように、第２部材８２の胴部８４内部に形成された段差が、棒状突起８５ｂ，８５ｂに対して止定部として機能する。
【００６３】
このように構成されたコネクタ８０及びスプール連結体によれば、第１部材８１の棒状突起８５ｂ，８５ｂが、第２部材８２内に形成された止定部たる段差に沿って周方向に回動可能とされるので、第１部材８１と固定された一方のスプール３００と、第２部材８２と固定された他方のスプール３００とが、コネクタ８０の軸回りに独立して回動可能とされる。よって、図５に示すものと同等の作用効果（詳細は省略）を奏することができる。また、第１部材８１及び第２部材８２のスプール３００への位置決め及び固定が確実に行われ、スプール３００から釣糸１をより引き出し易くなる。さらに、棒状突起８５ｂ，８５ｂが、その形状によって第２部材８２へ取り付け易いので、スプール３００，３００の連結及び取り外し作業の手間を軽減できる。
【００６４】
図１２は、本発明によるスプール連結具及びそれを用いたスプール連結体の第８実施形態を示す概略断面図である。本形態のスプール連結体は、コネクタ２０の代わりにコネクタ９０（スプール連結具）が用いられており、スプール１００が更に連結されたこと以外は、図１に示すスプール連結体と同等に構成されたものである。
【００６５】
図１２において、コネクタ９０は、略筒状を成し且つ外径が軸穴１８の内径と略同等とされた基部９１の一方端に、略筒状を成す係止部９２が結合されたものである。基部９１は、軸穴１８の軸方向の全長に渡って嵌着され、スプール１００と着脱可能に固定される。また、基部９１において、係止部９２が結合されていない端は、断面Ｌ字状を成すように周端が内方にやや突出している。また、係止部９２において、基部９１に結合していない他方端には、外方に向けて突出した環状の先端爪９２ａが形成されている。先端爪９２ａは、軸方向に対して一定角度を成すように傾斜した片方テーパを有しており、また、内側にやや曲折可能な程度の柔軟性を有している。
【００６６】
そして、係止部９２が、軸穴１８に嵌着した基部９１の内部に押し入れられると、係止部９２の先端爪９２ａが、基部９１における断面Ｌ字状の内周端に係合又は掛合する。これにより、基部９１に固定された一方のスプール１００が、基部９１に固定された他方のスプール１００と順次連結され、その状態で保持される。その結果、２個のみならず３個以上の複数のスプール１００を連結することが簡易となる。
【００６７】
このように構成されたコネクタ９０及びスプール連結体によれば、係止部９２が、基部９１の内周端に沿って周方向に回動可能とされるので、基部９１と固定された各スプール１００が、コネクタ９０の軸回りに独立して回動可能とされる。よって、図５に示すものと同等の作用効果（詳細は省略）を奏することができる。
【００６８】
図１３は、本発明によるスプール連結具及びそれを用いたスプール連結体の第９実施形態を示す概略断面図である。本形態のスプール連結体は、コネクタ９０が図１２に示すスプール連結体におけるのと対称に設置されたこと以外は、図１２に示すスプール連結体と同様に構成されたものである。この場合にも、図５に示すものと同等の作用効果（詳細は省略）を奏することができる。
【００６９】
図１４は、本発明によるスプール連結具及びそれを用いたスプール連結体の第１０実施形態を示す概略断面図である。本形態のスプール連結体は、コネクタ６０の代わりにコネクタ１１０（スプール連結具）が用いられ、スプール１００が更に連結されたこと以外は、図５に示すスプール連結体と同等に構成されている。
【００７０】
図１４において、コネクタ１１０は、略棒状を成しており、その長軸方向に沿った断面形状が互いに異なる第１部材１１１及び第２部材１１２を備えて成るものであり、図５に示すコネクタ６０と同様の連結構造を有するものである。コネクタ１１０がコネクタ６０と異なる点は以下の通りである。すなわち、第１部材１１１及び第２部材１１２は、各スプール１００の軸穴１８の途中まで嵌着される形状、つまりコネクタ６０を構成する第１部材６１及び第２部材６２に比して短尺とされている。これにより、第１部材１１１の外周面１１１ａがスプール１００の環状凸部１０の内周面１０ａの一部と当接して嵌着・固定されると共に、その内周面１０ａの残余部分に第２部材１１２の外周面１１２ａが当接して嵌着・固定される。その結果、２個のみならず３個以上の複数のスプール１００を互いに独立して回動可能に連結することが簡易となる。
【００７１】
図１５は、本発明によるスプール連結具及びそれを用いたスプール連結体の第１１実施形態を示す概略断面図である。本形態のスプール連結体は、コネクタ７０の代わりにコネクタ１２０（スプール連結具）が用いられ、スプール２００が更に連結されたこと以外は、図７に示すスプール連結体と同等に構成されている。
【００７２】
図１５において、コネクタ１２０は、略棒状を成しており、その長軸方向に沿った断面形状が互いに異なる第１部材１１１及び第２部材１１２を備えて成るものであり、図７に示すコネクタ７０と同様の連結構造を有するものである。コネクタ１２０がコネクタ７０と異なる点は以下の通りである。すなわち、コネクタ１２０の両端に形成された各係止部１２１の軸方向に沿う長さが、環状凸部２９の軸方向長の半分程度以下とされ、且つ、係止部１２１の側壁の外周面１２１ａを成す弧状面の曲率が環状凸部２９の内周面２９ａの曲率より大きくされている。
【００７３】
これにより、一つのコネクタ１２０の係止部１２１がスプール２００の環状凸部２９の内周面２９ａの一部に嵌挿されると共に、その内周面２９ａの残余部分に他のコネクタ１２０の係止部１２１が嵌挿される。その結果、２個のみならず３個以上の複数のスプール２００を互いに独立して回動可能に連結することが簡易となる。
【００７４】
図１６は、本発明によるスプール連結具及びそれを用いたスプール連結体の第１２実施形態を示す概略断面図である。本形態のスプール連結体は、スプール２００の代わりにスプール４００が連結されたこと以外は、図１５に示すスプール連結体と同等に構成されている。スプール２００は、環状凸部２９の代わりに、内周面が矩形面とされた環状凹部（又は環状の窪み）が形成された環状凸部３９が設けられ、これにより軸穴３８が形成されていること以外は、スプール２００と同様な構成を有している。このような構成のスプール連結体においても、図１５に示すものと同様の作用効果（詳細は省略）が奏される。
【００７５】
図１７は、本発明によるスプール連結具及びそれを用いたスプール連結体の第１３実施形態を示す概略断面図である。本形態のスプール連結体は、スプール１００の代わりにスプール５００が連結されており、コネクタ９０の代わりにコネクタ１３０（スプール連結具）が用いられていること以外は、図１２に示すスプール連結体と同等に構成されたものである。スプール５００は、環状凸部１０の代わりに、内周面が段差を成すように形成された環状凸部３９が設けられ、これにより段差状の軸穴３８が形成されていること以外は、スプール１００と同様な構成を有している。
【００７６】
図１７において、コネクタ１３０は、その長軸が複数の軸穴１８を貫通する方向に沿うように設置されており、棒状を成す胴部の一方端部１３１が略盤状を成し且つ軸穴３８における径がより小さい方の部位に嵌着されるような外径とされている。また、コネクタ１３０の他方端部１３２は、略盤状を成し且つその周縁にベアリング１３３（転がり軸受）が設けられており、そのベアリング１３３が軸穴３８における径がより大きい方の部位に当接可能な径とされている。
【００７７】
コネクタ１３０の一方端部１３１が軸穴３８に嵌着されてコネクタ１３０と一方のスプール５００が固定されると共に、そのコネクタ１３０の他方端部１３２が軸穴３８に嵌着されると、環状凸部３９の段差面３９と他方端部１３２の端面が当接し位置決めされる。また他方端部１３２に設けられたベアリング１３３が軸穴３８のより大きい径の部位を形成する内周面３９ｂに当接し、その押し付け力によって嵌着される。これにより、複数のスプール５００が順次連結され、その状態で保持される。
【００７８】
このように構成されたコネクタ１３０及びスプール連結体によれば、コネクタ１３０の他方端部１３２がベアリング１３３によってスプール５００に嵌着された状態で、そのスプール５００がベアリング１３３の転がりによってコネクタ９０の軸回りに自由に且つ他のスプール５００と独立して回動可能となる。その結果、図１２に示すものと同様な作用効果（詳細は省略）が奏される。
【００７９】
図１８は、本発明によるスプール連結具及びそれを用いたスプール連結体の第１４実施形態を示す概略断面図である。本形態のスプール連結体は、複数のコネクタ９０の代わりに単一のコネクタ１４０（スプール連結具）が用いられていること以外は、図１２に示すスプール連結体と同等に構成されたものである。
【００８０】
図１８において、コネクタ１４０は、略棒状を成し、長軸が複数のスプール１００の各軸穴１８を貫通する方向に沿うように設置されたものである。また、コネクタ１４０は、一定間隔で環状溝１４２が形成されており、環状溝１４２以外の胴部１４１の径は軸穴１８の内径よりも大きくされ、環状溝１４２部分の径は、軸穴１８の内径よりも有意に小さくされている。この環状溝１４２には、環状凸部１０が嵌着される。また、胴部１４１と環状溝１４２との結合部には、軸方向に対して一定の傾斜角を有する環状テーパが形成されており、コネクタ１４０を軸穴１８に嵌挿させ易くされている。
【００８１】
このように構成されたコネクタ１４０及びスプール連結体によれば、環状溝１４２に環状凸部１０が嵌着することにより、各スプール１００の軸方向への動きが制限され、それらが連結された状態で保持される。また、環状凸部１０の内周面１０ａと環状溝１４２の外周面１４２ａとの間に微小な間隙が形成され、これにより、各スプール１００が独立して回動可能とされる。その結果、図１２に示すものと同様の作用効果（詳細は省略）が奏される。また、コネクタ１４０を一体に形成し易いので、製造及び組み立てを簡略化できる。
【００８２】
図１９及び図２０は、それぞれ本発明によるスプール連結体の第１５及び第１６実施形態を模式的に示す概略図である。両図に示す形態の各スプール連結体は、２個のスプール１００がコネクタ３（スプール連結具）で連結されたユニットが把持枠２（把持部）に保持されて成るものである。コネクタ３としては、上述した本発明の各コネクタの何れを用いてもよい。コネクタ３は、連結された状態の両端が断面コの字状に構成された把持枠２の内側壁に取り付けられている。また、把持枠２の外壁には、半リング状の取手部材２ａが適宜数設けられている。このような構成により、複数のスプール１００を簡易に保持でき、さらに図１９及び図２０に示す各スプール連結体を組み合わせることにより、これらを複数併設させた状態で保持することが可能となって多数のスプール１００をコンパクトに配置収納できると共に、取手部材２ａに紐やクッションゴム等を取り付けて保管や収納をし易くできる。
【００８３】
図２１は、本発明によるスプール連結体の第１７実施形態を模式的に示す正面図である。本形態のスプール連結体は、４個のスプール１００がコネクタ５（スプール連結具）で連結されたものが把持枠４（把持部）に保持されて成るものである。コネクタ５としては、上述した本発明の各コネクタの何れを用いてもよい。コネクタ５は、連結された状態の両端が断面コの字状に構成された把持枠４の内側壁に取り付けられている。また、把持枠４の上壁には、リング状の取手部材４ａが設けられており、その取手部材４ａに鎖状のホルダー６が設置されている。このようなスプール連結体とすれば、多数のスプール１００をコンパクトに配置収納できると共に、ホルダー６により着衣や持ち物への取り付けが簡易となり、可搬性を向上できる。
【００８４】
以上、本発明をその実施形態に基づいて詳細に説明したが、本発明は上記の各実施形態に限定されるものではない。本発明は、その要旨を逸脱しない範囲で様々な変形が可能である。
【００８５】
例えば、コネクタ２０，３０，４０，５０，６０，７０，１１０，１２０，１３０，１４０は筒状体でもよい。また、コネクタ１４０は複数部材の結合体であってもよい。さらに、スプール連結体を構成するスプール１００〜５００は、図示の個数に限られず、より多数を連結してもよい。また、係止部２３，３１，３３，４３，４４，５２，５３，７２，７３は、ある程度の柔軟性又は可塑性を持たせることにより、軸穴１８に押し込めるように挿入でき、軸穴１８から突出させた状態で、その外形が軸穴１８の内径より大きく展開するようにすると好ましい。つまり、かような場合、各部材の軸穴１８への挿入方向は制限されない。
【００８６】
さらに、これらの係止部２３，３１，３３，４３，４４，５２，５３は、環状つまり全周方向に設けられていても、例えば環状突起８５ｂのように周方向の一部に設けられていてもよい。またさらに、各コネクタ２０〜１４０の全体又は一部がある程度の柔軟性又は可塑性を有するような材料（ゴム、樹脂等）で形成してもよい。さらに、凸部１９及びそれに対応する角出部８３ａ，８４ａを環状凸部１０の複数箇所に設けてもよく、第１部材８１又は第２部材８２のスプール３００への位置決め機能を重視しつつ嵌着を容易ならしめるには、それぞれ１箇所に設けるのが好ましい。またさらに、角出部８３ｂ，８４ｂの配置数及び周方向における配置間隔（角度）、及び棒状突起８５ｂの配置数は、図示に限定されない。ただし、棒状突起８５ｂは複数設けることが望ましい。
【００８７】
【発明の効果】
以上述べたように、本発明のスプール連結具及びスプール連結体によれば、同種又は異種の釣糸が巻かれた複数のスプールを一体に収納でき、所望のスプールに巻かれた釣糸のみを簡便に引き出すことが可能であるとともに、複数のスプールが連結された構成を簡略化することが可能となる。
【図面の簡単な説明】
【図１】本発明によるスプール連結具及びそれを用いたスプール連結体の第１実施形態を示す概略断面図である。
【図２】本発明によるスプール連結具及びそれを用いたスプール連結体の第２実施形態を示す概略断面図である。
【図３】本発明によるスプール連結具及びそれを用いたスプール連結体の第３実施形態を示す概略断面図である。
【図４】本発明によるスプール連結具及びそれを用いたスプール連結体の第４実施形態を示す概略断面図である。
【図５】本発明によるスプール連結具及びそれを用いたスプール連結体の第５実施形態を示す概略断面図である。
【図６】スプール１００を示す斜視図である。
【図７】本発明によるスプール連結具及びそれを用いたスプール連結体の第６実施形態を示す概略断面図である。
【図８】本発明によるスプール連結具及びそれを用いたスプール連結体の第７実施形態を示す概略断面図である。
【図９】スプール３００を示す斜視図である。
【図１０】図１０（Ａ）〜（Ｃ）は、第１部材８１のそれぞれ正面図、側面図、及び底面図である。
【図１１】第２部材８２のそれぞれ正面図、側面図、及び底面図である。
【図１２】本発明によるスプール連結具及びそれを用いたスプール連結体の第８実施形態を示す概略断面図である。
【図１３】本発明によるスプール連結具及びそれを用いたスプール連結体の第９実施形態を示す概略断面図である。
【図１４】本発明によるスプール連結具及びそれを用いたスプール連結体の第１０実施形態を示す概略断面図である。
【図１５】本発明によるスプール連結具及びそれを用いたスプール連結体の第１１実施形態を示す概略断面図である。
【図１６】本発明によるスプール連結具及びそれを用いたスプール連結体の第１２実施形態を示す概略断面図である。
【図１７】本発明によるスプール連結具及びそれを用いたスプール連結体の第１３実施形態を示す概略断面図である。
【図１８】本発明によるスプール連結具及びそれを用いたスプール連結体の第１４実施形態を示す概略断面図である。
【図１９】本発明によるスプール連結体の第１５実施形態を模式的に示す概略図である。
【図２０】本発明によるスプール連結体の第１６実施形態を模式的に示す概略図である。
【図２１】本発明によるスプール連結体の第１７実施形態を模式的に示す正面図である。
【符号の説明】
１…釣糸、２ａ，４ａ…取手部材、２，４…把持枠（把持部）、３，５…コネクタ（スプール連結具）、６…ホルダー、１０，２９，３９…環状凸部、１１…胴部、１２…前面側フランジ、１３…後面側フランジ、１８，２８，３８…軸穴（第１の軸穴、第２の軸穴）、１９…凸部、２０，３０，４０，５０，６０，７０，８０，９０，１１０，１２０，１３０，１４０…コネクタ（スプール連結具）、２１，３１，４１，１３１…一方端部、２２，３２，４２，１３２…他方端部、２３，３１，３３，４３，４４，５２，５３，７２，７３，９２，１２１…係止部、４６，６６，８５…突出部、６１，８１，１１１…第１部材、６２，８２，１１２…第２部材、６６…突出部、８５ｂ…棒状突起、９１…基部、９２ａ…先端爪、１３３…ベアリング（転がり軸受け）、１４２…環状溝。
【図１】
2004321078.tif 000003
【図２】
2004321078.tif 000004
【図３】
2004321078.tif 000005
【図４】
2004321078.tif 000006
【図５】
2004321078.tif 000007
【図６】
2004321078.tif 000008
【図７】
2004321078.tif 000009
【図８】
2004321078.tif 000010
【図９】
2004321078.tif 000011
【図１０】
2004321078.tif 000012
【図１１】
2004321078.tif 000013
【図１２】
2004321078.tif 000014
【図１３】
2004321078.tif 000015
【図１４】
2004321078.tif 000016
【図１５】
2004321078.tif 000017
【図１６】
2004321078.tif 000018
【図１７】
2004321078.tif 000019
【図１８】
2004321078.tif 000020
【図１９】
2004321078.tif 000021
【図２０】
2004321078.tif 000022
【図２１】
2004321078.tif 000023